(57)【要約】【課題】空気調和機において、空気中に浮遊する塵埃をプレフィルタに強制的に付着させた後該プレフィルタを清掃して塵埃を除去し、プレフィルタを通過してケーシング内に進入する塵埃の量を少なくし、ケーシング内に設置された電気集塵ユニットの負荷を軽減することにより、清掃効率を向上させることにある。【解決手段】空気ａの吸込部を開閉する方向へ移動自在なプレフィルタ５をケーシング１内に設けた空気調和機において、上記プレフィルタ５を移動させながら帯電する帯電手段を設け、上記帯電手段が、放電電極３と該放電電極３に対向する導電体１４により構成され、放電電極３は、プレフィルタ５に関して空気ａの下流側に配置され、導電体１４は、プレフィルタ５に関して空気ａの上流側に配置されている。【選択図】図２
2008151427.tif 000002
【特許請求の範囲】
【請求項１】
空気の吸込部を開閉する方向へ移動自在なプレフィルタをケーシング内に設けた空気調和機において、
上記プレフィルタを移動させながら帯電する帯電手段を設けたことを特徴とする空気調和機。
【請求項２】
上記帯電手段が、放電電極と該放電電極に対向する導電体により構成され、放電電極は、プレフィルタに関して空気の下流側に配置され、導電体は、プレフィルタに関して空気の上流側に配置されている請求項１記載の空気調和機。
【請求項３】
上記放電電極は、プレフィルタが空気吸込部を開く方向に移動したときの該プレフィルタの端部が、空気吸込部から離脱する直前の位置に対向した位置に設けられている請求項２記載の空気調和機。
【請求項４】
空気の吸込部を開閉する方向へ移動自在なプレフィルタをケーシング内に設けた空気調和機において、
上記空気吸込部を横断する方向に移動自在であって該空気吸込部に位置するプレフィルタを帯電するためのチャージユニットを設け、該チャージユニットに放電電極を内蔵し、該放電電極に対向する導電体をチャージユニットと反対側のプレフィルタ部分に設けたことを特徴とする空気調和機。
【発明の詳細な説明】
【技術分野】
【０００１】
本発明は、空気中に浮遊する空気中の埃や塵（塵埃）をプレフィルタに強制的に付着させた後該プレフィルタを清掃して塵埃を除去し、清掃効率を向上させる空気調和機に関する。
【背景技術】
【０００２】
従来の空気調和機は、例えば特開２００２−５５０４号公報（特許文献１）に開示されるように、移動自在なプレフィルタと、該プレフィルタに付着した塵埃を除去するロールブラシから成る塵埃除去手段と、除去された塵埃を収納する塵埃収納部を有する。
【０００３】
この構成により、上記プレフィルタが上方に移動すると、上方に設けたロールブラシによりプレフィルタに付着した塵埃が除去され、この塵埃は、後方に設けた塵埃収納部に収納されるようになっている。
【特許文献１】特開２００２−５５０４号公報
【発明の開示】
【発明が解決しようとする課題】
【０００４】
しかし、上記特許文献１に開示された空気調和機においては、ロールブラシを用いて除去する塵埃は、プレフィルタが捕集したものである。
【０００５】
ところが、空気中の塵埃は、プレフィルタを通過して空気調和機のケーシング内に進入する場合もあり、ケーシング内に進入した塵埃は、該ケーシングに内蔵された電気集塵ユニットで集塵するので集塵の負荷が増大し集塵した塵埃を除去するために集塵ユニットを清掃する必要が発生する。
【０００６】
この結果、電気集塵ユニットを頻繁に清掃したり、電気集塵ユニットを増設するなど面倒なことを行わざるを得ず、清掃効率が著しく低下する。
【０００７】
本発明の目的は、空気調和機において、空気中に浮遊する塵埃をプレフィルタに強制的に付着（積極的に捕集）させた後該プレフィルタを清掃して塵埃を除去し、プレフィルタを通過してケーシング内に進入する塵埃の量を少なくし、ケーシング内に設置された電気集塵ユニットの負荷を軽減することにより、清掃効率を向上させることにある。
【課題を解決するための手段】
【０００８】
上記課題を解決するために、本発明は、請求項１に記載されているように、空気ａの吸込部を開閉する方向へ移動自在なプレフィルタ５をケーシング１内に設けた空気調和機において、上記プレフィルタ５を移動させながら帯電する帯電手段を設けたことを特徴とする空気調和機と、請求項４に記載されているように、空気ａの吸込部を開閉する方向へ移動自在なプレフィルタ５をケーシング１内に設けた空気調和機において、上記空気吸込部を横断する方向に移動自在であって該空気吸込部に位置するプレフィルタ５を帯電するためのチャージユニット１６を設け、該チャージユニット１６に放電電極１７を内蔵し、該放電電極１７に対向する導電体１４をチャージユニット１６と反対側のプレフィルタ５部分に設けたことを特徴とする空気調和機という手段を提供する。
【０００９】
上記本発明の構成によれば、例えばプレフィルタ５（図２）を移動させながら帯電する帯電手段のうちの放電電極３を、プレフィルタ５に関して空気ａの下流側であってケーシング１の上部に、導電体１４を、プレフィルタ５に関して空気ａの上流側であってプレフィルタ５の前面にそれぞれ設けたことにより、プレフィルタ５の清掃後に（図４（Ａ）〜図４（Ｃ））、上記放電電極３と導電体１４から成る帯電手段を作動させると共に、清掃後のプレフィルタ５の端部を、放電電極３位置（図４（Ｄ））から初期位置（図４（Ｅ））まで戻せば、その間に、放電電極３と導電体１４間に発生したコロナ放電により、空気吸込部に対面したプレフィルタ５部分が帯電されるので、空気調和機の通常運転時には（図１、図２）、空気ａ中の塵埃を帯電したプレフィルタ５に強制的に付着させることができ、従って、その塵埃が強制的に付着したプレフィルタ５を清掃手段７で清掃すれば（図４（Ａ）〜図４（Ｃ））、塵埃が除去され、空気ａ中に浮遊する塵埃は、ケーシング１内に進入する前に事前に阻止されてケーシング１内に進入する塵埃の量が少なくなり、それにより、ケーシング１内に設置されている電気集塵ユニットの負荷が軽減され、清掃効率が向上する。
【発明の効果】
【００１０】
上記のとおり、本発明によれば、空気調和機において、空気中に浮遊する塵埃をプレフィルタに強制的に付着させた後該プレフィルタを清掃して塵埃を除去し、プレフィルタを通過してケーシング内に進入する塵埃の量を少なくし、ケーシング内に設置された電気集塵ユニットの負荷を軽減することにより、清掃効率を向上させるという効果を奏する。
【発明を実施するための最良の形態】
【００１１】
以下、本発明を、実施の形態により添付図面を参照して説明する。図１は、本発明による空気調和機の全体斜視図である。
【００１２】
図１に示す空気調和機は、ケーシング１を有し、該ケーシング１の向かって右側の前面から上面に亘って吸込口（図示省略）から成る空気吸込部が形成され、該空気吸込部から吸い込まれた空気ａは、ケーシング１の下部（図２）に形成された吹出口１１から吹き出される。
【００１３】
上記ケーシング１の内部には、帯電手段の一方を構成する放電電極３が設けられ、該放電電極３の前方には、プレフィルタ５が、後方には熱交換器９と送風機１０が順次設けられている。
【００１４】
上記放電電極３は、プレフィルタ５に関して空気ａの下流側であって、図２に示す例では、ケーシング１内の上方の該ケーシング１と空気吸込部の境界Ａを基準として、該境界Ａ近傍の空気吸込部側に設けられている。
【００１５】
換言すれば、放電電極３は、プレフィルタ５が空気吸込部を開く方向に移動（Ｚ軸方向）したときの（図４（B））該プレフィルタ５の端部が、空気吸込部から離脱する直前の位置に対向した位置に設けられている。
【００１６】
この構成により、後述するように、移動自在なプレフィルタ５の往路（図４（Ａ）〜図４（Ｃ））と復路（図４（D）〜図４（Ｅ））は全く同じであることから、該プレフィルタ５の清掃後に（図４（Ａ）〜図４（Ｃ））、帯電手段を作動しておけば、前記往路において、プレフィルタ５の端部が（図４（D））空気吸込部に進入した直後から、放電電極３に対向したプレフィルタ５の部分が順次連続して帯電される。
【００１７】
従って、プレフィルタ５が初期位置（図４（Ｅ））に戻ったときには、該プレフィルタ５の空気吸込部に対面した部分が帯電される。
【００１８】
また、ケーシング１の内部には、帯電手段の他方を構成する導電体１４が設けられ、該導電体１４は、プレフィルタ５に関して空気ａの上流であって、例えば図３に示す位置に設けられている。
【００１９】
図３（A）の場合は、導電体１４が、プレフィルタ５の前方のプレパネル１３（吸い込みパネル）の後面に一体的に設けられ、図３（B）の場合は、導電体１４が、プレフィルタ５の前面（上流側）に一体的に設けられ、図３（C）の場合は、導電体１４が、放電電極３の取付フレーム１５であって前記プレパネル１３とプレフィルタ５の間の部分の後面（下流側面）に一体的に設けられている。
【００２０】
この構成により、既述したように、前記プレフィルタ５の清掃後に（図４（Ａ）〜図４（Ｃ））、帯電手段を作動しておけば、放電電極３（図３）と前記導電体１４間にコロナ放電が発生し、このコロナ放電に基づき、既述したように、プレフィルタ５の端部が（図４（D））空気吸込部に進入した直後から、放電電極３に対向したプレフィルタ５の部分が順次連続して帯電され、プレフィルタ５が初期位置（図４（Ｅ））に戻ったときには、該プレフィルタ５の空気吸込部に対面した部分が帯電される。
【００２１】
これにより、空気調和機の通常運転時には（図１、図２）、空気ａ中の塵埃を帯電したプレフィルタ５に強制的に付着させることができるので、その塵埃が強制的に付着したプレフィルタ５を清掃手段７で清掃すれば（図４（Ａ）〜図４Ｃ））、塵埃が除去され、空気ａ中に浮遊する塵埃は、ケーシング１内に進入する前に事前に阻止されてケーシング１内に進入する塵埃の量が少なくなり、それにより、ケーシング１内に設置されている電気集塵ユニットの負荷が軽減され、ユニットの清掃回数が減るなど清掃効率が向上する。
【００２２】
上記帯電手段を構成する放電電極３は、独立して設けてもよく、従来から設置されている電気集塵ユニットの放電電極を利用することもできる。
【００２３】
一方、プレフィルタ５は（図１、図２）、空気吸込部を開閉する方向（本実施形態では、図のＺ軸方向をさす）へ移動自在である。
【００２４】
この場合のプレフィルタ５の移動機構としては、ラック・ピニオン機構があり（例えば特開２００４-２８４８７号公報の図２）、該ラック・ピニオン機構により、プレフィルタ５は例えば上下方向（Ｚ軸方向）に移動自在である。
【００２５】
そして、空気調和機の清掃運転の場合には（図４（Ａ）〜図４（Ｃ））、プレフィルタ５は、ケーシング１の上部後方に設けられた軸１２に巻き取られ、空気調和機の帯電運転時には（図４（D）〜図４（Ｅ））、上記軸１２から巻き戻されて初期位置（図４（E））に戻る。
【００２６】
上記軸１２（図２）の更に上方には、例えばロールブラシから成る清掃手段７が設けられ、通常運転時に（図１、図２）帯電プレフィルタ５に強制的に付着された塵埃が、前記清掃手段７により除去されるようになっている（図４（Ａ）〜図４（Ｃ））。
【００２７】
以下、上記構成を有する本発明の動作を、図４に基づいて説明する。
【００２８】
この場合、当初はプレフィルタ５は（図４（Ａ））初期位置にあり、この状態で、プレフィルタ５を上昇させる（Ｚ軸方向に移動させる）と、既述したロールブラシ７により、該プレフィルタ５に付着された塵埃が除去され（図４（B）〜図４（C））、除去された塵埃は塵埃収納部１８に収納される。
【００２９】
このように、プレフィルタ５の塵埃が除去された状態で既述した帯電手段（図3）を作動させると、放電電極３と導電体１４間にコロナ放電が発生する。
【００３０】
この状態で、プレフィルタ５を下降させると（図４（D））、前記コロナ放電に基づき、プレフィルタ５の端部が（図４（D））空気吸込部に進入した直後から初期位置（図４（Ｅ））に戻るまでの間に、放電電極３に対向したプレフィルタ５の部分が順次連続して帯電され、これにより、該プレフィルタ５の空気吸込部に対面した部分が帯電される。
【００３１】
そして、この帯電されたプレフィルタ５をケーシング１内に設けた空気調和機は（図１）、通常運転を行うことにより、既述したように、空気ａ中に浮遊する塵埃を上記帯電プレフィルタ５に強制的に付着するようになっている。
【００３２】
図５、図６は、本発明の他の実施例を示し、既述した図１〜図４の実施例がプレフィルタ５を移動させることにより、該プレフィルタ５を帯電するのに対して、この図５〜図６の実施例は、放電電極１７（図５、図６）を内蔵したチャージユニット１６を移動させることにより、空気吸込部に位置するプレフィルタ５を帯電する点で、両者は相違する。
【００３３】
図５に示す空気調和機は、同様に、ケーシング１を有し、該ケーシング１の前面から上面に亘って吸込口（図示省略）から成る空気吸込部が形成され、該空気吸込部から吸い込まれた空気ａは、ケーシング１の下部（図６）に形成された吹出口１１から吹き出される。
【００３４】
上記ケーシング１の内部には、後述するチャージユニット１６が設けられ、該チャージユニット１６の後方には、プレフィルタ５と電気集塵ユニット４と熱交換器９と送風機１０が順次設けられている。
【００３５】
上記チャージユニット１６は（図１）、図示するように、横方向（Ｘ軸方向）の長さが空気吸込部の横方向のそれよりも小さく、縦方向（Ｚ軸方向）の長さが空気吸込部の縦方向のそれとほぼ同じである。
【００３６】
そして、チャージユニット１６は、空気吸込部を横断する方向（Ｘ軸方向）に移動自在であり、該チャージユニット１６には、放電電極１７（例えば針状電極）が内蔵されている。
【００３７】
また、前記チャージユニット１６に内蔵された放電電極３と対向する導電体１４は、プレフィルタ５の後面にそれと一体的に設けられている（図６）。
【００３８】
更に、プレフィルタ５は、同様に、空気吸込部を開閉する方向（Ｚ軸方向）へ移動自在であり、この場合のプレフィルタ５の移動機構としては、ラック・ピニオン機構があり（例えば特開２００４-２８４８７号公報の図２）、該ラック・ピニオン機構により、プレフィルタ５は例えば上下方向に移動自在である。
【００３９】
そして、空気調和機の清掃運転の場合には（図４（Ａ）〜図４（Ｃ）に相当）、プレフィルタ５は、同様に、ケーシング１の上部後方に設けられた軸１２（図６）に巻き取られ、該軸１２の上方に設けられたロールブラシから成る清掃手段７により、プレフィルタ５に付着された塵埃が除去され、除去された塵埃は塵埃収納部１８に収納されるようになっている。
【００４０】
そして、空気調和機の帯電運転時には（図５、図６）、前記プレフィルタ５を上記軸１２から巻き戻すことにより、該プレフィルタ５を初期位置、即ち空気吸込部の位置に予め戻しておく。
【００４１】
また、チャージユニット１６は、図５に示すように、例えば空気吸込部のＸ軸方向の右端に予め停止させておく。
【００４２】
そして、この状態で、同様に、前記放電電極１７と導電体１４から成る帯電手段を作動させることによりコロナ放電を発生させると共に、チャージユニット１６を空気吸込部を横断する方向に移動させる。
【００４３】
これにより、同様に、上記コロナ放電に基づき、放電電極１７に対向したプレフィルタ５の部分が順次連続して帯電され、空気吸込部に位置するプレフィルタ５の該空気吸込部に対面した部分が帯電される。
【００４４】
従って、この状態で、空気調和機の通常運転を行えば、空気ａ中の塵埃を上記帯電したプレフィルタ５に強制的に付着させることができるので、その塵埃が強制的に付着したプレフィルタ５を清掃手段７で清掃すれば（図４（Ａ）〜図４（Ｃ）に相当）、塵埃が除去され、空気ａ中に浮遊する塵埃は、ケーシング１内に進入する前に事前に阻止されてケーシング１内に進入する塵埃の量が少なくなり、それにより、ケーシング１内に設置されている電気集塵ユニットの負荷が軽減され、清掃効率が向上する。
【産業上の利用可能性】
【００４５】
本発明は、空気中に浮遊する塵埃をプレフィルタに強制的に付着させた後該プレフィルタを清掃して塵埃を除去し、プレフィルタを通過してケーシング内に進入する塵埃の量を少なくし、ケーシング内に設置された電気集塵ユニットの負荷を軽減することにより、清掃効率を向上させる空気調和機に利用され、極めて有用である。
【図面の簡単な説明】
【００４６】
【図１】本発明による空気調和機の全体斜視図である。
【図２】図１の側面断面図である。
【図３】本発明を構成する導電体１４を示す図である。
【図４】本発明の動作説明図である。
【図５】本発明の他の実施例を示す図である。
【図６】図５の側面断面図である。
【符号の説明】
【００４７】
１  ケーシング
３、１７  放電電極
４  電気集塵ユニット
５  プレフィルタ
７  第２清掃手段
９  熱交換器
１０  送風機
１１  吹出口
１２  軸
１３  プレパネル
１４  導電体
１５  取付フレーム
１６  チャージユニット
１８  塵埃収納部
【図１】
2008151427.tif 000003
【図２】
2008151427.tif 000004
【図３】
2008151427.tif 000005
【図４】
2008151427.tif 000006
【図５】
2008151427.tif 000007
【図６】
2008151427.tif 000008